(57)【要約】【課題】トイレシステムの省エネルギを図る。【解決手段】シャワー洗浄式の便器１２を有し、この便器１２を備えたトイレ室１１を有し、ヒートポンプ１４と電源１５とを備えたコージェネレーションシステム１３を有する。ヒートポンプ１４を用いてトイレ室１１内の空調が行われる。電源１５からの電力または、およびコージェネレーションシステム１３の排熱が、便器１２の暖房便座と、シャワー洗浄用水の温水化とのために用いられる。便器１２への給水管および便器１２への電力用配線は、トイレ室１１内に露出していないことが好適である。便器１２を水洗するための水を貯留するタンクを有しないことが好適である。【選択図】図１
2009072392.tif 000002
【特許請求の範囲】
【請求項１】
シャワー洗浄式の便器を有し、この便器を備えたトイレ室を有し、ヒートポンプと電源とを備えたコージェネレーションシステムを有し、前記ヒートポンプを用いてトイレ室内の空調が行われ、前記電源からの電力または、および前記コージェネレーションシステムの排熱が、前記便器の暖房便座とシャワー洗浄用水の温水化とのために用いられるようにされていることを特徴とするトイレシステム。
【請求項２】
コージェネレーションシステムの電源からの電力がトイレ室の照明に用いられるようにされていることを特徴とする請求項１記載のトイレシステム。
【請求項３】
便器への給水管および便器への電力用配線がトイレ室内に露出していないことを特徴とする請求項１または２記載のトイレシステム。
【請求項４】
便器を水洗するための水を貯留するタンクを有しないことを特徴とする請求項１から３までのいずれか１項記載のトイレシステム。
【発明の詳細な説明】
【技術分野】
【０００１】
本発明はトイレシステムに関する。
【背景技術】
【０００２】
トイレシステムとして、さまざまなものが提案されている（たとえば、特許文献１）。従来から良く知られたトイレシステムにおいては、トイレ室の空調は商用電源を電力源とする空調装置によって行われ、シャワー洗浄式の便器のためのシャワー用水の温水化のエネルギ源や同便器の暖房便座のエネルギ源も商用電源が用いられ、電気ヒータによる昇温が行われている。
【特許文献１】特開２００６−０４３０９８号公報
【発明の開示】
【発明が解決しようとする課題】
【０００３】
このため、空調、温水化、暖房便座のためのエネルギ源が個別に必要となり、したがってエネルギ消費が多くコストアップにつながるという課題がある。
そこで本発明は、トイレシステムの省エネルギを図るようにすることを目的とする。
【課題を解決するための手段】
【０００４】
この目的を達成するため本発明のトイレシステムは、シャワー洗浄式の便器を有し、この便器を備えたトイレ室を有し、ヒートポンプと電源とを備えたコージェネレーションシステムを有し、前記ヒートポンプを用いてトイレ室内の空調が行われ、前記電源からの電力または、および前記コージェネレーションシステムの排熱が、前記便器の暖房便座と、シャワー洗浄用水の温水化とのために用いられるようにしたものである。
【０００５】
本発明のトイレシステムによれば、コージェネレーションシステムの電源からの電力がトイレ室の照明に用いられるようにされていることが好適である。
【０００６】
本発明のトイレシステムによれば、便器への給水管および便器への電力用配線がトイレ室内に露出していないことが好適である。
【０００７】
さらに本発明のトイレシステムによれば、便器を水洗するための水を貯留するタンクを有しないことが好適である。
【発明の効果】
【０００８】
本発明によれば、ヒートポンプと電源とを備えたコージェネレーションシステムを有し、前記ヒートポンプを用いてトイレ室内の空調が行われ、前記電源からの電力または、および前記コージェネレーションシステムの排熱が、便器の暖房便座と、シャワー洗浄用水の温水化とのために用いられるため、コージェネレーションシステムを用いた、総合的で統一したシステムを構築することができ、省エネルギ効果を得ることができる。
【０００９】
本発明によれば、コージェネレーションシステムの電源からの電力がトイレ室の照明に用いられることで、よりいっそう総合的で統一したシステムを構築することができ、さらなる省エネルギ効果を得ることができる。
【００１０】
本発明によれば、便器への給水管および便器への電力用配線がトイレ室内に露出していないことで、従来のトイレシステムのごとく給水管や電力用配線が露出しているもののような、見苦しさや、つまづき易さを解消することができる。
【００１１】
本発明によれば、便器を水洗するための水を貯留するタンクを有しないことで、トイレ室の空間を広くすることができるとともに、タンクへの給排水の際に発生する雑音を解消することができる。
【発明を実施するための最良の形態】
【００１２】
図１および図２において、１１はトイレ室であり、シャワー洗浄式の便器１２が設置されている。トイレ室１１の外部、たとえば屋外には、ガスヒートポンプ式のコージェネレーションシステム１３が設置されている。このコージェネレーションシステム１３は、ヒートポンプ１４と、発電機を有した電源１５とを備えている。
【００１３】
ヒートポンプ１４からの熱媒体の配管１６は、トイレ室１１のための室内機１７に接続されている。１８は室内機１７からの通風ダクトで、たとえばトイレ室１１の内部に設けられた棚１９の下部からトイレ室１１の内部へ送風できるように構成されている。２０はトイレ室１１の換気口で、排気ファン２１に連通されている。
【００１４】
２３は電源１５からの電力供給ラインで、系統連系盤２４を経てトイレ室１１に導かれ、トイレ室１１のための照明装置２５と、便器１２に設けられたコンセント２６とに電力を供給可能である。２２は電力会社からの商用電力ラインで、系統連系盤２４に接続されている。排気ファン２１を、電力供給ライン２３からの電気エネルギによって駆動することも可能である。
【００１５】
ヒートポンプ１４や電源１５を構成するガスエンジンを運転すると、排熱が発生する。２７はこの排熱を回収するための熱交換器で、たとえば循環式の給湯ライン２８が接続されている。２９は循環ポンプである。
【００１６】
便器１２には、便座３１のための暖房システムと、シャワーのための温水を生成するための給水加熱システムとが設置されている。これらのシステムは、電力供給ライン２３からエネルギを受けるものであってもよいし、給湯ライン２８にて供給される温水からエネルギを受けるものであってもよいし、あるいは両者からエネルギを受けるものであってもよい。
【００１７】
以下、給湯ライン２８にて供給される温水からエネルギを受けるものの例について説明する。図１および図２に示すように、給湯ライン２８は、便器１２に接続されて便座３１へ温水を循環供給可能とされている。便器１２には、シャワー用の水や便器洗浄用の水を供給するための給水ライン３２が接続されている。このうちシャワー用の水が、給湯ライン２８の温水によって温められる。あるいは、給湯ライン２８を循環構造とせずに、シャワー用の水と給湯ライン２８の温水とを混合して適温としたうえで、シャワーに供することもできる。図２において、３３は便器１２からの排水ライン、３４は床面である。
【００１８】
図２に示すように、便器１２への給水管すなわち給水ライン３２と、便器１２への電力用配線すなわち電力供給ライン２３とは、床下から直接便器１２の内部へ導かれている。すなわち、トイレ室１１の内部には露出しないようにされている。また給水ライン３２の水を直接便器１２の洗浄に利用しており、したがってトイレ室１１の内部には、便器１２を洗浄するための水を貯留するタンクは存在しない。
【００１９】
このような構成であると、ヒートポンプ１４と電源１５とを備えたガスヒートポンプ式のコージェネレーションシステム１３を用いて、トイレ室１１の空調と、トイレ室１１への電力供給と、便器１２の暖房便座３１へのエネルギ供給と、シャワー洗浄用水の温水化と、トイレ室１１の照明装置２５へのエネルギ供給とを行うことができるため、コージェネレーションシステムを用いた、総合的で統一したシステムを構築することができ、省エネルギ効果を得ることができる。
【００２０】
電源１５で発生した電力が不足である場合には、商用電力ライン２２から電力の補充を受けることができる。反対に電源１５で発生した電力が過剰である場合には、商用電力ライン２２を用いて系統連系を行い建物全体の電気に利用することができる。
【００２１】
便器１２への給水ライン３２と、便器１２への電力供給ライン２３とは、いずれも床下から直接便器１２の内部へ導かれているため、トイレ室１１の内部には露出しない。このため、従来のトイレシステムのごとく給水管や電力用配線が露出しているもののような、見苦しさや、つまづき易さを解消することが可能である。
【００２２】
便器１２の洗浄のために、給水ライン３２の水を便器１２に直接供給しており、便器１２を洗浄するための水を貯留するタンクは存在しない。このため、トイレ室１１の空間を広くすることができるとともに、タンクへの給排水の際に発生する雑音を解消することが可能である。
【図面の簡単な説明】
【００２３】
【図１】本発明の実施の形態のトイレシステムを示す図である。
【図２】図１のトイレシステムにおける便器まわりの詳細図である。
【符号の説明】
【００２４】
１１    トイレ室
１２    便器
１３    コージェネレーションシステム
１４    ヒートポンプ
１５    電源
１７    室内機
２３    電力供給ライン
２５    照明装置
２８    給湯ライン
３１    便座
３２    給水ライン
【図１】
2009072392.tif 000003
【図２】
2009072392.tif 000004